(57)【特許請求の範囲】
【請求項１】
複数の発光色から選択した一つの発光色でそれぞれ発光制御される複数の発光制御単位と、
前記複数の発光制御単位の発光色情報を変更可能に記憶する発光色情報記憶手段と、
入力される制御信号に基づいて、前記発光色情報記憶手段に記憶された発光色情報に従って前記複数の発光制御単位の発光状態を制御する発光制御手段と、
操作者によって操作される多機能スイッチと、
前記多機能スイッチの操作に基づいて、前記発光色情報記憶手段に発光色情報を登録する発光色情報登録手段とを含む、信号表示灯。
【請求項２】
ブザーに駆動電力を供給するためのブザー駆動回路と、
前記多機能スイッチの操作に応答して、前記ブザー駆動回路がブザーに供給する駆動電力を可変設定することによりブザーの音量を調節するブザー音量調節手段とをさらに含む、請求項１に記載の信号表示灯。
【請求項３】
前記発光色情報登録手段は、
前記多機能スイッチに対する第１態様の操作に応答して、発光色設定対象の発光制御単位を切り換える設定対象切り換え手段と、
前記多機能スイッチに対する、前記第１態様と区別可能な第２態様の操作に応答して、発光色設定対象の発光制御単位を決定する設定対象決定手段と、
発光色設定対象の発光制御単位が決定した後、前記多機能スイッチに対する第３態様の操作に応答して、前記発光色設定対象の発光制御単位の発光色を切り換える発光色切り換え手段と、
前記多機能スイッチに対する、前記第３態様と区別可能な第４態様の操作に応答して、前記発光色設定対象の発光制御単位の発光色を決定する発光色決定手段とを含む、請求項１または２に記載の信号表示灯。
【請求項４】
前記発光制御手段は、前記設定対象切り換え手段により選択された発光制御単位を、選択状態を表す所定の発光状態に制御し、前記発光色切り換え手段により選択された発光色で発光色設定対象の発光制御単位を発光させる、請求項３に記載の信号表示灯。
【請求項５】
前記設定対象切り換え手段は、前記第１態様の操作に応答して、前記複数の発光制御単位を発光色設定対象として順次切り替え、さらにいずれの発光制御単位も選択しない非選択状態とすることができ、
前記発光色情報登録手段は、
前記設定対象切り換え手段が前記非選択状態であるときに、前記多機能スイッチに対する、前記第１態様と区別可能な第５態様の操作に応答して、前記発光色決定手段によって決定された発光色を表す発光色情報を前記発光色情報記憶手段に書き込む書き込み手段をさらに含む、請求項３または４に記載の信号表示灯。
【請求項６】
前記発光制御手段は、前記非選択状態において、前記複数の発光制御単位の少なくとも一つを非選択状態を表す所定の発光状態に制御する、請求項５に記載の信号表示灯。
【発明の詳細な説明】
【技術分野】
【０００１】
この発明は、複数の発光ユニットを有する信号表示灯に関する。
【背景技術】
【０００２】
信号表示灯は、生産装置のような機械装置を制御するプログラマブルロジックコントローラ（ＰＬＣ）などの制御装置から供給される制御信号に基づいて点灯状態が制御されるように構成されている。【０００３】
特許文献１の信号表示灯は、積層された複数のセルと、この複数のセルを貫くように配置されたＬＥＤ基板と、このＬＥＤ基板の両面に実装されたＬＥＤ（発光ダイオード）とを含む。ＬＥＤ基板には、各セルに対応して、赤、緑および青のＬＥＤが設けられている。それによって、各セルは、非点灯状態のほか、赤色、緑色、青色、黄色、紫色、水色および白色で発光する点灯状態をとることができる。ＬＥＤを制御するための制御回路は、ＣＰＵと、設定ファイルを記憶したフラッシュＲＯＭと、変換テーブルを記憶したメモリとを含む。制御回路は、複数の信号線を介してＰＬＣに接続されており、それらの信号線を介して制御信号が供給される。設定ファイルは、ＰＬＣから複数の信号線をそれぞれ介して与えられる複数の制御信号と、セルの発光色とを対応付けている。変換テーブルは、ＣＰＵが、設定ファイルに基づいて作成するテーブルである。変換テーブルは、制御信号と、各セルの発光色を実現するための各色ＬＥＤの点灯状態とを対応付けるテーブルである。【０００４】
制御信号が入力されると、ＣＰＵは、変換テーブルを参照して、その制御信号に対応する点灯状態で各セルのＬＥＤを制御する。それによって、設定ファイルによって設定された点灯状態（発光色）に、各セルを制御できる。
【先行技術文献】
【特許文献】
【０００５】
【特許文献１】特開２０１２−２２１７９３号公報
【発明の概要】
【発明が解決しようとする課題】
【０００６】
特許文献１の先行技術では、設定ファイルのフラッシュＲＯＭへの書き込みは、メモリカードまたはＵＳＢポートを用いて行われる。メモリカードを用いる場合には、ＰＣ等の情報処理機器によって予め作成した設定ファイルをメモリカードに保存し、そのメモリカードをカードリーダに装着することにより、フラッシュＲＯＭに設定ファイルが書き込まれる。ＵＳＢポートを用いる場合には、ＰＣ等の情報処理機器を、ケーブルを用いてＵＳＢポートに接続し、そのケーブルを介して設定ファイルが転送されてフラッシュＲＯＭに書き込まれる。【０００７】
したがって、制御信号と各セルの発光色との対応関係を設定するためには、メモリカードや情報処理機器を用いた面倒な作業が必要であり、手間が掛かる。【０００８】
そこで、この発明の目的は、簡単な作業で発光制御単位の発光色を設定することができる信号表示灯を提供することである。
【課題を解決するための手段】
【０００９】
この発明は、複数の発光色から選択した一つの発光色でそれぞれ発光する複数の発光制御単位と、前記複数の発光制御単位の発光色情報を変更可能に記憶する発光色情報記憶手段と、入力される制御信号に基づいて、前記発光色情報記憶手段に記憶された発光色情報に従って前記複数の発光制御単位の発光状態を制御する発光制御手段と、操作者によって操作される多機能スイッチと、前記多機能スイッチの操作に基づいて、前記発光色情報記憶手段に発光色情報を登録する発光色情報登録手段とを含む、信号表示灯を提供する。【００１０】
この構成によれば、信号表示灯に備えられた多機能スイッチを操作することによって、発光制御単位の発光色を指定するための発光色情報を発光色情報記憶手段に登録することができる。その登録された発光色情報に従って、入力制御信号に応じて、複数の発光制御単位の発光状態が制御される。これにより、簡単な作業で発光制御単位の発光色を設定することができる。【００１１】
各発光制御単位は、１つの発光ユニットを備えていてもよいし、複数の発光ユニットを備えていてもよい。複数の発光制御単位は、同数の発光ユニットで構成されていてもよいし、異なる数の発光ユニットで構成された２つ以上の発光制御単位を含んでいてもよい。各発光ユニットは、少なくとも１つの光源を含む。【００１２】
この発明の一実施形態に係る信号表示灯は、ブザーに駆動電力を供給するためのブザー駆動回路と、前記多機能スイッチの操作に応答して、前記ブザー駆動回路がブザーに供給する駆動電力を可変設定することによりブザーの音量を調節するブザー音量調節手段とをさらに含む。【００１３】
この構成によれば、信号表示灯の通常の使用状態では、多機能スイッチは、ブザーの音量調節のための音量調節スイッチとして用いることができる。換言すれば、音量調節スイッチを用いて、発光制御単位の発光色を設定できる。したがって、特別なスイッチを設けることなく、簡単な作業で、発光制御単位の発光色を設定できる。【００１４】
信号表示灯は、ブザー駆動回路を備えている場合でも、ブザーを必ずしも備えている必要はない。すなわち、ブザー駆動回路およびブザー音量調節手段を含む構成としておくことにより、ブザー付きの仕様およびブザー無しの仕様のいずれにも対応することができる。そして、いずれの仕様においても、多機能スイッチの操作によって、発光制御単位の発光色を簡単な作業で設定することができる。【００１５】
この発明の一実施形態では、前記発光色情報登録手段は、前記多機能スイッチに対する第１態様の操作に応答して、発光色設定対象の発光制御単位を切り換える設定対象切り換え手段と、前記多機能スイッチに対する、前記第１態様と区別可能な第２態様の操作に応答して、発光色設定対象の発光制御単位を決定する設定対象決定手段と、発光色設定対象の発光制御単位が決定した後、前記多機能スイッチに対する第３態様の操作に応答して、前記発光色設定対象の発光制御単位の発光色を切り換える発光色切り換え手段と、前記多機能スイッチに対する、前記第３態様と区別可能な第４態様の操作に応答して、前記発光色設定対象の発光制御単位の発光色を決定する発光色決定手段とを含む。【００１６】
この構成によれば、多機能スイッチに対して第１態様の操作を行うことで、複数の発光制御単位のなかから発光色設定対象の発光制御単位を切り換え、その後、第２態様の操作を行うことで、発光色設定対象の発光制御単位を決定できる。こうして、複数の発光制御単位のなかから発光色設定対象の発光制御単位を選択して決定できる。次いで、多機能スイッチに対して第３態様の操作を行うことによって、設定対象の発光制御単位の発光色を切り換え、その後、第４態様の操作を行うことで、発光色を決定できる。こうして、各発光制御単位に対して、複数の発光色のなかから一つの発光色を選択して設定できる。【００１７】
この発明の一実施形態では、前記発光制御手段は、前記設定対象切り換え手段により選択された発光制御単位を、選択状態を表す所定の発光状態に制御し、前記発光色切り換え手段により選択された発光色で発光色設定対象の発光制御単位を発光させる。この構成によれば、操作者は、発光色設定対象として選択されている発光制御単位をその発光状態によって認識できる。また、操作者は、選択されている発光色を、その発光色によって認識できる。すなわち、発光制御単位を視覚的なインタフェースとして利用しながら、多機能スイッチの操作によって、任意の発光制御単位の発光色を任意の色に設定することができる。【００１８】
この発明の一実施形態では、前記設定対象切り換え手段は、前記第１態様の操作に応答して、前記複数の発光制御単位を発光色設定対象として順次切り換え、さらにいずれの発光制御単位も選択しない非選択状態とすることができる。そして、前記発光色情報登録手段は、前記設定対象切り換え手段が前記非選択状態であるときに、前記多機能スイッチに対する、前記第１態様と区別可能な第５態様の操作に応答して、前記発光色決定手段によって決定された発光色を表す発光色情報を前記発光色情報記憶手段に書き込む書き込み手段をさらに含む。【００１９】
この構成によれば、多機能スイッチに対する第１態様の操作によって、いずれの発光制御単位も選択されていない非選択状態とすることができ、その状態で第５態様の操作を多機能スイッチに対して行うことによって、発光色情報を発光色情報記憶手段に登録できる。【００２０】
この発明の一実施形態では、前記発光制御手段は、前記非選択状態において、前記複数の発光制御単位の少なくとも一つを非選択状態を表す所定の発光状態に制御する。この構成によれば、発光制御単位の発光状態によって前記非選択状態を認識できる。したがって、操作者は、発光色情報を確実に登録できる。前記非選択状態を表す発光状態は、全ての発光制御単位の消灯であってもよい。
【図面の簡単な説明】
【００２１】
【図１】図１は、この発明の一実施形態に係る信号表示灯の構成を説明するための概略構成図である。
【図２】図２は、前記信号表示灯の電気的構成例を説明するためのブロック図である。
【図３】図３は、前記信号表示灯に備えられた制御部の機能的な構成を説明するためのブロック図である。
【図４】図４は、前記制御部の動作モードの例を説明するためのモード遷移図である。
【図５】図５は、初期モードにおける制御部の動作例を説明するためのフローチャートである。
【図６】図６は、通常動作モードにおいて制御部が所定の制御周期毎に繰り返す処理例を説明するためのフローチャートである。
【図７】図７は、保守パターン設定モードにおける制御部の動作例を説明するためのフローチャートである。
【図８】図８は、報知設定モードの第１設定モードにおける制御部の処理例を説明するためのフローチャートである。
【図９】図９は、報知設定モードの第２設定モードにおける制御部の処理例を説明するためのフローチャートである。
【発明を実施するための形態】
【００２２】
以下では、この発明の実施の形態を、添付図面を参照して詳細に説明する。
【００２３】
図１は、この発明の一実施形態に係る信号表示灯の構成を説明するための概略構成図である。信号表示灯１は、生産装置５に備えられた信号灯制御装置２によって制御される。信号灯制御装置２は、生産装置５の動作を制御するプログラマブルロジックコントローラ（ＰＬＣ）であってもよい。信号灯制御装置２は、信号表示灯１を制御するための複数の制御信号を出力する制御信号出力装置である。その複数の制御信号に従って、信号表示灯１の表示状態が変化する。信号灯制御装置２は、生産装置５の稼働状況に対応する制御信号を出力する。制御信号は、たとえば、正常動作中、部品欠品発生、部品欠品予告、管理者呼び出し要求、その他の異常発生を表す信号であってもよい。
【００２４】
信号表示灯１は、制御ユニット１１と、信号報知部１２とを備えている。信号報知部１２は、１つ以上の発光ユニット２１，２２，２３，２４，２５を含む。具体的には、信号報知部１２は、制御ユニット１１の上に５段に積層された発光ユニット２１，２２，２３，２４，２５を含む。
【００２５】
各発光ユニット２１〜２５は、光源を内部に含み、他の発光ユニットの上段または下段に積層して結合することができるように構成されている。換言すれば、各発光ユニット２１〜２５は、他の発光ユニットを、その上段または下段に積層して結合することができる。また、各発光ユニット２１〜２５は、制御ユニット１１の上段に積層して結合することができるように構成されている。「結合する」とは、この場合、機械的に結合でき、かつ、電気的に接続することを言う。信号表示灯１は、一つの制御ユニット１１と、これに積層された少なくとも一つの発光ユニット２１〜２５とを含み、バー状（もしくはタワー状）に構成されている。信号報知部１２は、１以上の任意の数の発光ユニットを積層して構成することができ、発光ユニットの着脱によって、発光ユニットの数（段数）を増加したり減少したりすることができる。制御ユニット１１および各発光ユニット２１〜２５を１つの筐体内に収容してもよい。
【００２６】
各発光ユニットに含まれる光源は、ＬＥＤ（発光ダイオード）であってもよい。この実施形態では、各発光ユニットは、複数色から選択した一色でそれぞれ発光可能に構成されている。より具体的には、この実施形態では、各発光ユニットは、３色を発光することができるフルカラー型の発光ユニットである。各発光ユニットは、たとえば、緑色光源としての緑色ＬＥＤ、赤色光源としての赤色ＬＥＤおよび青色光源としての青色ＬＥＤを含む。これらのＬＥＤをひとつだけ発光させることにより、緑色、赤色または青色を表示できる。緑色ＬＥＤおよび赤色ＬＥＤを同時に発光させることによって、黄色発光できる。緑色ＬＥＤおよび青色ＬＥＤを同時に発光させることにより、シアン色発光できる。赤色ＬＥＤおよび青色ＬＥＤを同時に発光させることにより、マゼンタ色発光できる。さらに、緑色ＬＥＤ、赤色ＬＥＤおよび青色ＬＥＤの同時発光によって、白色発光できる。
【００２７】
各発光ユニットは、フルカラー型発光ユニットでなくてもよく、たとえば２色発光が可能な複数色発光型の発光ユニットであってもよい。より具体的には、緑色光源としての緑色ＬＥＤおよび赤色光源としての赤色ＬＥＤを含んでいてもよい。緑色ＬＥＤを点灯させることにより緑色発光でき、赤色ＬＥＤを点灯させることにより赤色発光でき、緑色ＬＥＤおよび赤色ＬＥＤを同時点灯させることにより橙色発光できる。したがって、発光色が３色となる。
【００２８】
図２は、信号表示灯１の電気的構成例を説明するためのブロック図である。信号灯制御装置２は、前述のとおり、たとえば、プログラマブルロジックコントローラ（ＰＬＣ）で構成されている。信号灯制御装置２は、制御信号線６によって、制御ユニット１１に接続されている。制御ユニット１１は、制御部３１、外部入出力部（Ｉ／Ｏ）３２、内部入出力部（Ｉ／Ｏ）３３、クロック３４、メモリ３５、ブザー駆動回路（アンプ）３６、ブザー（スピーカ）３７、ディップ（ＤＩＰ）スイッチ３８、および音量調節スイッチ４０を含む。制御部３１は、ＣＰＵ（中央処理ユニット）を含み、この制御部３１に、外部入出力部３２、内部入出力部３３、クロック３４、メモリ３５、ブザー駆動回路３６、ディップスイッチ３８、および音量調節スイッチ４０が接続されている。
【００２９】
外部入出力部３２に制御信号線６が接続されている。内部入出力部３３には、発光ユニット２１〜２５が接続されている。クロック３４は、時間計測のためのクロック信号を制御部３１に供給する。ブザー駆動回路３６は、制御部３１によって制御され、必要時に、ブザー３７に駆動電力を供給して、ブザー３７を鳴動させる。音量調節スイッチ４０は、ブザー３７の音量を調節するために操作者によって操作されるスイッチである。制御部３１は、音量調節スイッチ４０の操作に応答して、ブザー駆動回路３６がブザー３７に供給する電力を変化させる。それによって、ブザー３７の音量が調節される。音量調節スイッチ４０は、この実施形態では、音量調節のための操作手段を提供するほか、発光ユニット２１〜２５の発光色を設定するための発光色設定操作手段を提供する多機能スイッチである。音量調節スイッチ４０は、たとえば、モメンタリ型の押しボタンスイッチであってもよい。モメンタリ型のスイッチとは、操作している期間中に信号を出力するスイッチである。
【００３０】
メモリ３５は、たとえば、記憶内容の書き換えが可能な不揮発性メモリで構成されている。メモリ３５は、制御部３１の動作プログラムのほか、信号報知部１２の制御のために必要な制御情報を記憶する。
【００３１】
信号灯制御装置２は、複数の制御信号線６にそれぞれ異なる制御信号を出力してもよい。すなわち、複数の制御信号にそれぞれ出力されるオン／オフ信号によって、複数種類の制御信号が表されてもよい。また、信号灯制御装置２は、共通の制御信号線６にディジタルデータ形式の制御信号を出力してもよい。
【００３２】
ディップスイッチ３８は、たとえば、ブザー出力時のブザー音を選択するためのスイッチであってもよい。
【００３３】
図３は、制御部３１の機能的な構成を説明するためのブロック図である。制御部３１は、ＣＰＵが所定の動作プログラムを実行することによって実現される複数の機能処理部を有している。それらの機能処理部は、発光制御部５１、ブザー音量調節部５２、ブザー制御部５３、および発光色情報登録部５４を含む。
【００３４】
メモリ３５に格納された制御情報は、外部入出力部３２に入力される制御信号に対する発光ユニット２１〜２５およびブザー３７の動作を設定した動作テーブル７０と、ブザー３７の設定音量を表す音量データ７３とを含む。信号灯制御装置２から与えられる制御信号は、発光制御信号およびブザー制御信号を含む。動作テーブル７０は、発光制御信号に対する発光ユニット２１〜２５の発光色の対応関係を設定した発光色情報が格納された発光色テーブル７１と、ブザー制御信号に対するブザー３７の鳴動状態の対応関係を設定した鳴動情報が格納された鳴動テーブル７２とを含む。これらのうち、発光色テーブル７１は、変更可能な可変テーブルである。発光色テーブル７１を格納したメモリ３５は、発光色情報記憶手段の一例である。
【００３５】
発光制御部５１は、外部入出力部３２に入力される制御信号（とくに発光制御信号）に基づいて、発光色テーブル７１に格納された発光色情報に従って、複数の発光ユニット２１〜２５の発光状態を制御する。この実施形態では、発光制御部５１は、個々の発光ユニット２１〜２５の発光状態を個別に制御する。すなわち、個々の発光ユニット２１〜２５が、発光制御部５１が信号報知部１２を制御するときの発光制御単位である。
【００３６】
ブザー音量調節部５２は、音量調節スイッチ４０の操作に応答して、音量データ７３を段階的に変化させる。音量データ７３は、下限値（たとえば消音に対応）と上限値との間で複数段階（たとえば８段階）に変更可能である。ブザー音量調節部５２は、音量調節スイッチ４０が操作されると、音量データ７３を１段階変化させる。たとえば、ブザー音量調節部５２は、音量調節スイッチ４０が操作されるたびに１段階ずつ音量データ７３を大きくし、上限値に達すると、１段階ずつ音量データ７３を小さくし、下限値に達すると、再び１段階ずつ音量データ７３を大きくする。ブザー制御部５３は、ブザー制御信号によってブザー３７の鳴動が指令されると、鳴動テーブル７２に格納された鳴動情報によって指定される音色の音を、音量データ７３に応じた音量で、ブザー３７から発音させるように、ブザー駆動回路３６を制御する。ブザー制御部５３は、音量データ７３に対応する駆動電力がブザー３７に供給されるように、ブザー駆動回路３６を制御する。したがって、ブザー音量調節部５２は、音量データ７３の可変設定によって、ブザー駆動回路３６がブザー３７に供給する駆動電力を可変設定し、それによって音量を調節する。
【００３７】
発光色情報登録部５４は、後述する報知設定モードにおいて、音量調節スイッチ４０の操作に基づいて、発光色テーブル７１に発光色情報を登録するための機能処理部である。発光色情報登録部５４は、設定対象切り換え部５５、設定対象決定部５６、発光色切り換え部５７、発光色決定部５８、および書き込み部５９を含む。
【００３８】
設定対象切り換え部５５は、音量調節スイッチ４０に対する短押し操作（第１態様の操作）に応答して、発光色設定対象の発光ユニットを切り換える。設定対象決定部５６は、音量調節スイッチ４０に対する長押し操作（前記第１態様と区別可能な第２態様の操作）に応答して、発光色設定対象の発光ユニットを決定する。発光色切り換え部５７は、発光色設定対象の発光ユニットが決定した後、音量調節スイッチ４０に対する短押し操作（第３態様の操作）に応答して、発光色設定対象の発光ユニットの発光色を切り換える。発光色決定部５８は、音量調節スイッチ４０に対する長押し操作（前記第３態様と区別可能な第４態様の操作）に応答して、発光色設定対象の発光ユニットの発光色を決定する。
【００３９】
発光制御部５１は、設定対象切り換え部５５により選択された発光ユニットを、選択状態を表す所定の点灯状態（たとえば点滅状態）に制御し、発光色切り換え部５７により選択された発光色で発光色設定対象の発光ユニットを点灯させる。
【００４０】
設定対象切り換え部５５は、短押し操作（前記第１態様の操作）に応答して、複数の発光ユニットを発光色設定対象として順次切り替え、さらにいずれの発光ユニットも選択しない非選択状態とすることができる。書き込み部５９は、設定対象切り換え部５５が非選択状態であるときに、音量調節スイッチ４０に対する長押し操作（前記第１態様と区別可能な第５態様の操作）に応答して、発光色決定部５８によって決定された発光色を表す発光色情報を発光色テーブル７１に書き込む。
【００４１】
発光制御部５１は、前記非選択状態において、複数の発光ユニットの少なくとも一つを、非選択状態を表す所定の点灯状態に制御する。たとえば、発光制御部５１は、全ての発光ユニットを消灯することにより、非選択状態を表現してもよい。
【００４２】
図４は、制御部３１の動作モードの例を説明するためのモード遷移図である。制御部３１の動作モードは、初期モード、通常動作モード、保守パターン設定モード、および報知設定モードを含む。
【００４３】
初期モードは、電源投入から通常動作モードに遷移するまでの期間のモードである。初期モードでは、制御部３１は、信号報知部１２の点灯パターンによって、内部制御プログラムのバージョン表示を行う。また、初期モード中に、音量調節スイッチ４０に対して所定の操作（たとえば長押し操作）が行われると、保守パターン設定モードに遷移する。長押し操作は、所定時間（たとえば３秒）以上に渡って音量調節スイッチ４０を連続して操作し続ける（具体的には押し続ける）操作である。音量調節スイッチ４０の連続操作時間が当該所定時間に満たない操作は、短押し操作である。
【００４４】
通常動作モードは、外部入出力部３２に入力される制御信号に応じて報知動作を行う動作モードである。制御部３１は、入力された制御信号に基づいて、メモリ３５内の動作テーブル７０を参照して、発光ユニット２１〜２５およびブザー３７の動作を制御する（主として発光制御部５１およびブザー制御部５３の機能）。通常動作モード中に、音量調節スイッチ４０に対して所定の操作（たとえば長押し操作）が行われると、保守パターン設定モードに遷移する。
【００４５】
保守パターン設定モードは、行いたい保守メンテナンスの種類を選択するためのモードである。保守メンテナンスの種類は、音量調節スイッチ４０の操作によって選択できる。具体的には、保守パターン設定モード中に音量調節スイッチ４０の短押し操作が行われると、保守メンテナンスの種類が短押し操作のたびに所定の順序で切り換わる。そして、所望の保守メンテナンスの種類が選択された状態で音量調節スイッチ４０に長押し操作が行われると、その保守メンテナンスの種類が決定となり、該当する保守メンテナンスモードに遷移する。保守メンテナンスモードは、複数の保守メンテナンスの種類に対応して、複数個存在する。そのうちの一つが、報知設定モードである。したがって、音量調節スイッチ４０の短押し操作で報知設定モードを選択し、その選択状態で音量調節スイッチ４０を長押し操作することによって、報知設定モードに遷移する。保守パターン設定モード中に音量調節スイッチ４０の操作が所定の自動復帰時間（たとえば６０秒）に渡って行われないときには、通常動作モードに自動復帰する。報知設定モード以外の保守メンテナンスモードとしては、点滅速度選択モードなどを例示できる。
【００４６】
報知設定モードは、発光ユニット２１〜２５の発光色を設定するモードであり、主として、発光色情報登録部５４の機能による。報知設定モードは、設定対象の発光ユニットを選択するための第１設定モードと、設定対象の発光ユニットに対して発光色を選択する第２設定モードとを含む。報知設定モードに遷移した直後は第１設定モードとなる。
【００４７】
第１設定モードでは、音量調節スイッチ４０の短押し操作に応答して、設定対象の発光ユニットが所定の順序で切り換わる（設定対象切り換え部５５の機能）。それによって、設定したい発光ユニットを選択できる。その選択状態で、音量調節スイッチ４０に対する長押し操作が行われると、選択中の発光ユニットが設定対象として選択決定されて（設定対象決定部５６の機能）、第２設定モードに遷移する。
【００４８】
第２設定モードでは、短押し操作に応答して、設定対象の発光ユニットの発光色が所定の順序で切り換わる（発光色切り換え部５７の機能）。それによって、発光色を選択できる。このとき、設定対象の発光ユニットが、選択された発光色で発光する（発光制御部５１の機能）。いずれかの発光色の選択状態で、音量調節スイッチ４０に対する長押し操作が行われると、選択中の発光色が当該設定対象の発光ユニットの発光色として決定される（発光色決定部５８の機能）。発光色が決定すると、第１設定モードに遷移する。
【００４９】
第１設定モードでは、音量調節スイッチ４０の短押し操作によって、いずれの発光ユニットも選択されていない非選択状態を選択することができる（設定対象切り換え部５５の機能）。この非選択状態で音量調節スイッチ４０を長押しすると、報知設定モードに入ってから設定された発光色の設定が確定され、発光色テーブルへの書き込み（登録）が実行される（書き込み部５９の機能）。
【００５０】
その後、通常動作モードに遷移する。第１設定モードまたは第２設定モードにおいて、所定の自動復帰時間（たとえば６０秒）に渡って音量調節スイッチ４０に対する操作が行われないときには、通常動作モードに自動的に遷移する。
【００５１】
図５は、初期モードにおける制御部３１の動作例を説明するためのフローチャートである。生産装置５の電源が投入されると、生産装置５からの給電線（図示せず）によって信号表示灯１に電力が供給される。それによって、制御部３１は、初期モードに従う動作を開始する。具体的には、制御部３１は、電源投入後、所定時間が経過すると、内部制御プログラムのバージョンを表示する動作を実行する（ステップＳ１）。バージョンの表示は、たとえば、発光ユニット２１〜２５の点灯パターンの制御によって行うことができる。より具体的には、１段目の発光ユニット２１の発光色によってバージョンを表示し、２段目の発光ユニット２２の発光色によってリビジョンを表示するようにしてもよい。さらに具体的には、次表１に示す規則に従って、発光色および連続点灯／点滅によって、各発光ユニットの点灯状態と数とを対応付けておき、この規則に従って、バージョン表示を１段目の発光ユニット２１で行い、リビジョン表示を２段目の発光ユニット２２で行ってもよい。２段目の消灯は、リビジョン「０」を表すこととしてもよい。
【００５２】
【表１】
0005967457.tif 000002
【００５３】
たとえば、１段目の発光ユニット２１を赤色で連続点灯させ、２段目の発光ユニット２２を緑色で連続点灯させることによって、「バージョン１．２」を表示できる。バージョン表示の際の発光ユニット２１，２２の発光輝度は、全点灯状態の輝度を１００％として表すと、５０％程度として、通常動作時の発光状態と明確に区別できるようにすることが好ましい。
【００５４】
バージョン表示は、所定時間（たとえば１０秒）に渡って行われる。このバージョン表示動作中に、制御部３１は、音量調節スイッチ４０に対して所定時間（たとえば３秒）以上の長押し操作が行われたか否かを監視する（ステップＳ２）。バージョン表示動作中に長押し操作が検出されたときには（ステップＳ２：ＹＥＳ）、バージョン表示動作終了後に、保守パターン設定モード（ステップＳ３）に遷移する。バージョン表示動作中に長押し操作が検出されなければ、バージョン表示動作終了後に通常動作モード（ステップＳ４）に遷移する。
【００５５】
図６は、通常動作モードにおいて制御部３１が所定の制御周期毎に繰り返す処理例を説明するためのフローチャートである。制御部３１は、外部入出力部３２に入力される制御信号（発光制御信号およびブザー制御信号）を取得する（ステップＳ１１）。そして、制御部３１は、発光色テーブル７１を参照し、取得した発光制御信号に応じて、発光ユニット２１〜２５の発光状態を制御する（ステップＳ１２。発光制御部５１の機能）。また、制御部３１は、鳴動テーブル７２および音量データ７３を参照して、取得したブザー制御信号に応じて、ブザー３７を制御する（ステップＳ１３。ブザー制御部５３の機能）。
【００５６】
たとえば、次表２に示すように、外部入出力部３２に接続された制御信号線は、発光制御信号線Ｗ１〜Ｗ５と、ブザー制御信号線Ｗ６，Ｗ７と、共通信号線Ｗ８とを有していてもよい。この場合に、発光制御部５１は、発光制御信号線Ｗ１〜Ｗ５への信号入力を、それぞれ、次表２に示す報知色の光による発光報知指令と解釈するようにプログラムされていてもよい。また、ブザー制御部５３は、ブザー制御信号線Ｗ６，Ｗ７への信号入力を、それぞれ、次表２に示すブザー音による鳴動報知指令と解釈するようにプログラムされていてもよい。この場合、発光色テーブル７１は、次表３に示すように、各報知色に対して、当該報知色が発光色として設定された発光ユニットの段番号を対応付ける形式のテーブルであってもよい。段番号は、制御ユニット１１から数えて何段目に当該発光ユニットが位置しているかを表す。
【００５７】
【表２】
0005967457.tif 000003
【００５８】
【表３】
0005967457.tif 000004
【００５９】
発光制御部５１は、有意な信号が入力された発光制御信号線Ｗ１〜Ｗ５に基づいて報知色を特定する（表２参照）。そして、発光制御部５１は、発光色テーブル７１（表３参照）を参照し、その特定した報知色が発光色として設定された発光ユニットを特定する。発光制御部５１は、そうして特定された発光ユニットを、発光色テーブル７１に登録された発光色で点灯させる。これにより、発光制御信号に対応した発光色での信号表示を行うことができる。
【００６０】
ブザー制御部５３は、有意な信号が入力されたブザー制御信号線Ｗ６，Ｗ７に基づいてブザー音を特定する（表２参照）。そして、ブザー制御部５３は、音量データ７３を参照し、特定されたブザー音が音量データ７３に従う音量でブザー３７から発音されるように、ブザー駆動回路３６を制御する。これにより、ブザー制御信号に対応した報知音を発生させることができる。
【００６１】
発光色テーブル７１は、同じ発光色を複数の発光ユニットに対応付ける発光色設定情報を格納していてもよい。このような例を次表４に示す。
【００６２】
【表４】
0005967457.tif 000005
【００６３】
この場合、赤色を報知色として指定する発光報知指令を受信すると、発光制御部５１は、４段目および５段目の発光ユニット２４，２５の両方を赤色発光させる。同様に、黄色を報知色として指定する発光報知指令を受信すると、発光制御部５１は、２段目および３段目の発光ユニット２２，２３の両方を黄色発光させる。そして、緑色を報知色として指定する発光報知指令を受信すると、発光制御部５１は、１段目の発光ユニット２１を緑色発光させる。また、青色を報知色として指定する発光報知指令を受信すると、発光制御部５１は、１段目の発光ユニット２１を青色発光させる。白色を報知色として指定する発光報知指令を受信すると、発光制御部５１は、１段目〜５段目の発光ユニット２１〜２５を白色発光させる。
【００６４】
上記の他にも、発光色と発光部分（段番号）との対応付けは、種々に変更可能である。
【００６５】
また、発光制御部５１は、次表５に示すように、発光制御信号線Ｗ１〜Ｗ５への入力信号を、それぞれ、５段の発光ユニット２１〜２５のうちのいずれかの段番号の発光ユニットを発光させるための発光報知指令と解釈するようにプログラムされていてもよい。ブザー制御部５３は、ブザー制御信号線Ｗ６，Ｗ７への信号入力を、それぞれ、次表５に示すブザー音による鳴動報知指令と解釈するようにプログラムされていてもよい。この場合、発光色テーブル７１は、次表６に示すように、各発光ユニットの段番号に対して、当該段番号の発光ユニットに対して設定された発光色を対応付ける形式のテーブルであってもよい。
【００６６】
【表５】
0005967457.tif 000006
【００６７】
【表６】
0005967457.tif 000007
【００６８】
発光制御部５１は、有意な信号が入力された制御信号線Ｗ１〜Ｗ５に基づいて、発光させるべき発光ユニットを特定する（表４参照）。そして、発光制御部５１は、発光色テーブル７１（表６参照）を参照し、当該特定された発光ユニットに対して設定された発光色を取得する。発光制御部５１は、当該発光ユニットを当該取得された発光色で発光させる。これにより、発光制御信号に対応した段番号の発光ユニットを、予め設定した発光色で発光させて、信号表示を行うことができる。
【００６９】
ブザー制御部５３の動作は、前述の場合と同様である。
【００７０】
発光色テーブル７１は、異なる段番号の発光ユニットに同じ発光色を対応付ける発光色設定情報を格納していてもよい。このような例を次表７に示す。
【００７１】
【表７】
0005967457.tif 000008
【００７２】
この場合、５段目の発光を指定する発光報知指令を受信すると、発光制御部５１は、５段目の発光ユニット２５を赤色発光させる。同様に、４段目の発光を指定する発光報知指令を受信すると、発光制御部５１は、４段目の発光ユニット２４を赤色発光させる。また、３段目の発光を指定する発光報知指令を受信すると、発光制御部５１は、３段目の発光ユニット２３を黄色発光させる。２段目の発光を指定する発光報知指令を受信すると、発光制御部５１は、２段目の発光ユニット２２を黄色発光させる。そして、１段目の発光を指定する発光報知指令を受信すると、発光制御部５１は、１段目の発光ユニット２１を緑色発光させる。
【００７３】
上記の他にも、発光部分（段番号）と発光色との対応付けは、種々に変更可能である。
【００７４】
一方、ブザー音量調節部５２は、音量調節スイッチ４０に対する操作が行われると（ステップＳ１４）、それに応答して、音量データ７３を変更する（ステップＳ１５）。これにより、ブザー駆動回路３６がブザー３７に供給する電力を変化し、それによって、ブザー３７の音量が変更される。たとえば、ブザー３７の音量は、８段階（消音段階を含んでいてもよい。）に設定可能とされていてもよい。そして、制御部３１は、音量調節スイッチ４０に対する操作が行われるたびに、ブザー３７の音量を一段階変更し、確認のために、その変更後の音量でブザー３７を鳴動させてもよい。
【００７５】
図７は、保守パターン設定モードにおける制御部３１の動作例を説明するためのフローチャートである。保守パターン設定モードに入ると、制御部３１は、信号報知部１２を制御して、保守パターン設定モードであることを表す表示を行わせる（ステップＳ２１）。たとえば、制御部３１は、全ての発光ユニット２１〜２５を白色で一回点滅させ、その後、各段の発光ユニット２１〜２５の設定色で全ての発光ユニット２１〜２５を点灯（連続点灯）させる。このときの点灯状態は、たとえば、５０％程度の輝度での点灯とし、通常動作モードでの信号表示と明確に区別できるようにしておくことが好ましい。各発光ユニットの発光色は、発光色テーブル７１に従えばよい。
【００７６】
発光色テーブル７１には、たとえば、初期値として、下から順に白色、青色、緑色、黄色、赤色の発光色が５段の発光ユニット２１〜２５に対してそれぞれ設定されていてもよい。発光ユニットが４段の４段仕様のときの発光色の初期値は、下から順に、青色、緑色、黄色、赤色としてもよい。同様に、３段仕様のときの発光色の初期値は、下から順に、緑色、黄色、赤色としてもよい。さらに２段仕様のときの発光色の初期値は、下から順に、緑色、赤色としてもよい。そして、１段仕様のときの発光色の初期値は赤色としてもよい。
【００７７】
次に、制御部３１は、信号報知部１２を制御して、複数の保守パターンのうちのいずれの保守パターンが選択中であるかを表す表示を行わせる。たとえば、第１〜第５の保守パターンが選択可能である場合には、対応する段番号の発光ユニットを点滅状態（たとえば５０％輝度）とし、残余の段の発光ユニットを連続点灯状態（たとえば５０％輝度）としてもよい。すなわち、たとえば、第２の保守パターンが選択されているときには、第２段目の発光ユニット２２を点滅状態とすればよい。このとき、通常動作モードでの信号表示と明確に区別できるように、たとえば、５０％程度の輝度での点滅状態とすることが好ましい。保守パターン設定モードに入った直後には、第１の保守パターンが自動的に選択され（ステップＳ２２）、たとえば、第１段目の発光ユニット２１が５０％輝度での点滅状態となる。
【００７８】
制御部３１は、さらに、自動復帰時間を計測するためのタイマをリセットして計測を開始する（ステップＳ２３）。制御部３１は、クロック３４（図２参照）からのクロック信号に基づいて、内部のタイマを作動させて時間を計測する。タイマが自動復帰時間の経過を計測するまでに音量調節スイッチ４０の操作入力が検出されなければ（ステップＳ２４：ＮＯ）、制御部３１は、動作モードを通常動作モードに遷移させる（ステップＳ２５）。
【００７９】
タイマが自動復帰時間の経過を計測する前に音量調節スイッチ４０の操作を検出すると（ステップＳ２４：ＹＥＳ）、制御部３１は、その操作が所定時間以上連続する長押し操作か、当該所定時間以下の短押し操作かを判断する（ステップＳ２６）。短押し操作の場合には、制御部３１は、保守パターンの選択状態を切り換える（ステップＳ２７）。具体的には、音量調節スイッチ４０が短押し操作されるたびに、制御部３１は、予め定められた順序で複数の保守パターン（たとえば、第１〜第５の保守パターン）の選択状態を切り換えていく。そして、制御部３１は、信号報知部１２を制御して、切り換えられた後の保守パターンを表す表示を行わせる（ステップＳ２８）。たとえば、第２の保守パターンの選択中に音量調節スイッチ４０の短押し操作を行うと、第３の保守パターンが選択状態となり、第３段目の発光ユニット２３が５０％輝度での点滅状態に制御され、残余の発光ユニットは５０％輝度での連続点灯状態に制御される。このときの発光色は、発光色テーブル７１に従えばよい。この後、制御部３１は、ステップＳ２３からの動作を繰り返す。
【００８０】
いずれかの保守パターンが選択状態となっているときに音量調節スイッチ４０の長押し操作が検出されると（ステップＳ２６：ＹＥＳ）、制御部３１は、当該選択状態の保守パターンの選択を確定し、当該保守パターンに従う設定モードに遷移する（ステップＳ２９）。複数の保守パターンに従うモードの１つが、報知設定モードである。
【００８１】
図８は、報知設定モードの第１設定モードにおける制御部３１の処理例を説明するためのフローチャートである。第１設定モードは、発光色を設定する対象となる発光ユニットを選択して決定するためのモードである。第１設定モードに入ると、制御部３１は、信号報知部１２を制御して、第１設定モードであることを表す表示を行わせる（ステップＳ３１。発光制御部５１の機能）。たとえば、発光制御部５１は、全ての発光ユニット２１〜２５を白色で二回点滅させ、その後、各段の発光ユニット２１〜２５の設定色で全ての発光ユニット２１〜２５を連続点灯させる。このときの点灯状態は、たとえば、５０％程度の輝度での点灯とし、通常動作モードでの信号表示と明確に区別できるようにしておくことが好ましい。各発光ユニットの発光色は、発光色テーブル７１に従えばよい。
【００８２】
次に、制御部３１は、信号報知部１２を制御して、いずれの発光ユニット２１〜２５が設定対象候補として選択中であるかを表す表示を行わせる（発光制御部５１の機能）。たとえば、選択中の発光ユニットを点滅状態とし、残余の段の発光ユニットを連続点灯状態としてもよい。すなわち、たとえば、第２段目の発光ユニット２２が選択状態のときは、第２段目の発光ユニット２２を点滅状態とすればよい。このとき、通常動作モードでの信号表示と明確に区別できるように、たとえば、５０％程度の輝度での点滅状態とすることが好ましい。報知設定モードの第１設定モードに入った直後には、第１段目の発光ユニット２１が自動的に選択されて設定対象候補となり、たとえば、第１段目の発光ユニット２１が５０％輝度での点滅状態となる（ステップＳ３２）。
【００８３】
制御部３１は、さらに、自動復帰時間を計測するためのタイマをリセットして計測を開始する（ステップＳ３３）。
【００８４】
設定対象候補の発光ユニットは、音量調節スイッチ４０を短押し操作することによって、切り換えることができる。より具体的には、音量調節スイッチ４０の短押し操作を行うたびに、所定の順序で、設定対象候補の発光ユニットが切り換わり、それによって、任意の発光ユニットを設定対象候補として選択することができる。さらに、この実施形態では、音量調節スイッチ４０の短押し操作によって、いずれの発光ユニットも選択されていない非選択状態（null）とすることができる。つまり、音量調節スイッチ４０の短押し操作を繰り返すと、設定対象候補の発光ユニットが所定の順に切り換わり、いずれかの発光ユニットの選択状態の後に、非選択状態となる。いずれかの発光ユニットが設定対象候補として選択状態のときに音量調節スイッチ４０の長押し操作が検出されると、制御部３１は、その発光ユニットを設定対象として確定して、第１設定モードに遷移する。一方、非選択状態のときに音量調節スイッチ４０の長押し操作が行われると、制御部３１は、報知設定モードで設定された発光色情報を発光色テーブルに登録するための処理を行う。
【００８５】
そこで、制御部３１は、非選択状態(null)かどうかを判断し（ステップＳ３４）、その判断結果に応じて異なる処理を実行する。いずれかの発光ユニットが選択状態であれば、制御部３１は、前記タイマが自動復帰時間の経過を計測するまでに音量調節スイッチ４０の操作入力があるかどうかを判断する（ステップＳ３５）。自動復帰時間の経過が計測されるまでに音量調節スイッチ４０の操作入力が検出されなければ（ステップＳ３５：ＮＯ）、制御部３１は、動作モードを通常動作モードに遷移させる（ステップＳ３６）。
【００８６】
タイマが自動復帰時間の経過を計測する前に音量調節スイッチ４０の操作を検出すると（ステップＳ３５：ＹＥＳ）、制御部３１は、その操作が長押し操作か短押し操作かを判断する（ステップＳ３７）。短押し操作の場合には、制御部３１は、発光ユニットの選択状態を切り換える（ステップＳ３８。設定対象切り換え部５５の機能）。具体的には、音量調節スイッチ４０が短押し操作されるたびに、設定対象切り換え部５５は、予め定められた発光ユニット２１〜２５の選択状態を切り換えていく。そして、制御部３１は、信号報知部１２を制御して、切り換えられた後の設定対象候補の発光ユニットを表す表示を行わせる（ステップＳ３９。発光制御部５１の機能）。たとえば、第２段目の発光ユニット２２の選択中に音量調節スイッチ４０の短押し操作を行うと、第３段目の発光ユニット２３が選択状態となり、第３段目の発光ユニット２３が５０％輝度での点滅状態に制御され、残余の発光ユニットは５０％輝度での連続点灯状態に制御される。このときの発光色は、発光色テーブルに従う。この後、制御部３１は、ステップＳ３３からの動作を繰り返す。
【００８７】
いずれかの発光ユニットが設定対象候補として選択状態となっているときに音量調節スイッチ４０の長押し操作が検出されると（ステップＳ３７：ＹＥＳ）、制御部３１は、当該選択状態の発光ユニットを設定対象として確定し（ステップＳ４０。設定対象決定部５６の機能）、第２設定モードに移行する（ステップＳ４１）。
【００８８】
一方、ステップＳ３４において、非選択状態(null)であると判断されると、制御部３１は、前記タイマが自動復帰時間の経過を計測するまでに音量調節スイッチ４０の操作入力があるかどうかを判断する（ステップＳ４２）。自動復帰時間の経過が計測されるまでに音量調節スイッチ４０の操作入力が検出されなければ（ステップＳ４２：ＮＯ）、制御部３１は、動作モードを通常動作モードに遷移させる（ステップＳ４３）。
【００８９】
タイマが自動復帰時間の経過を計測する前に音量調節スイッチ４０の操作を検出すると（ステップＳ４２：ＹＥＳ）、制御部３１は、その操作が長押し操作か短押し操作かを判断する（ステップＳ４４）。短押し操作の場合には、制御部３１は、発光ユニットの選択状態を切り換える（ステップＳ３８）。すなわち、非選択状態から、いずれかの発光ユニットが設定対象候補として選択された状態となる。この後、制御部３１は、ステップＳ３９からの処理を繰り返す。
【００９０】
一方、非選択状態(null)のときに、音量調節スイッチ４０の長押し操作が検出されると（ステップＳ４４：ＹＥＳ）、制御部３１は、当該報知設定モードにおける設定内容を発光色テーブルに書き込む（ステップＳ４５。書き込み部５９の機能）。そして、制御部３１は、発光色テーブルの登録が行われたことを表示するために、信号報知部１２を制御する（ステップＳ４６。発光制御部５１の機能）。具体的には、発光制御部５１は、全ての発光ユニット２１〜２５を所定時間（たとえば５秒間）だけ、５０％輝度で点滅させてもよい。この後、制御部３１は、動作モードを通常動作モードに遷移させる（ステップＳ４７）。
【００９１】
図９は、報知設定モードの第２設定モードにおける制御部３１の処理例を説明するためのフローチャートである。第２設定モードは、第１設定モードで選択して決定された設定対象の発光ユニットの発光色を選択して決定するためのモードである。
【００９２】
第２設定モードに入ると、制御部３１は、信号報知部１２を制御して、第２設定モードであることを表す表示を行わせる（ステップＳ５１。発光制御部５１の機能）。たとえば、発光制御部５１は、全ての発光ユニット２１〜２５を白色で三回点滅させ、その後、各段の発光ユニット２１〜２５の設定色で全ての発光ユニット２１〜２５を点灯（連続点灯）させる。このときの点灯状態は、たとえば、５０％程度の輝度での点灯とし、通常動作モードでの信号表示と明確に区別できるようにしておくことが好ましい。各発光ユニットの発光色は、発光色テーブル７１に従えばよい。
【００９３】
次に、制御部３１は、信号報知部１２を制御して、いずれの発光ユニットが設定対象であるかを表す表示を行わせる（ステップＳ５２。発光制御部５１の機能）。たとえば、制御部３１は、設定対象の発光ユニットを５０％輝度で点滅させ、残余の段の発光ユニットを連続点灯状態としてもよい。このときの、発光色は、発光色テーブル７１に従えばよい。たとえば、第２段目の発光ユニット２２が設定対象であるときは、第２段目の発光ユニット２２を発光色テーブルでの設定に従う発光色で、点滅状態とすればよい。
【００９４】
制御部３１は、さらに、自動復帰時間を計測するためのタイマをリセットして計測を開始し（ステップＳ５３）、タイマが自動復帰時間の経過を計測するまでに音量調節スイッチ４０の操作入力があるかどうかを判断する（ステップＳ５４）。自動復帰時間の経過が計測されるまでに音量調節スイッチ４０の操作入力が検出されなければ（ステップＳ５４：ＮＯ）、制御部３１は、動作モードを通常動作モードに遷移させる（ステップＳ５５）。
【００９５】
タイマが自動復帰時間の経過を計測する前に音量調節スイッチ４０の操作を検出すると（ステップＳ５４：ＹＥＳ）、制御部３１は、その操作が長押し操作か短押し操作かを判断する（ステップＳ５６）。短押し操作の場合には、制御部３１は、発光ユニットの発光色を切り換える（ステップＳ５７。発光色切り換え部５７の機能）。具体的には、音量調節スイッチ４０が短押し操作されるたびに、発光色切り換え部５７は、予め定められた順序で発光色を切り換えていく。そして、制御部３１は、信号報知部１２を制御して、切り換えられた後の発光色で設定対象候補の発光ユニットを発光（たとえば点滅）させる（ステップＳ５８。発光制御部５１の機能）。発光色の切り換えは、所定の順序（たとえば、赤色、緑色、青色、黄色、シアン、マゼンタ、白、赤の順）で、順次循環的に行われてもよい。発光色の切り換えの後、制御部３１は、ステップＳ５３からの動作を繰り返す。
【００９６】
いずれかの発光色で設定対象の発光ユニットが発光（点滅）しているとき、すなわち、当該発光色の選択状態で、音量調節スイッチ４０の長押し操作が検出されると（ステップＳ５６：ＹＥＳ）、制御部３１は、当該選択状態の発光色を当該設定対象の発光ユニットの発光色として決定する（ステップＳ５９。発光色決定部５８の機能）。そして、制御部３１は、発光色が設定されたことを表示するために、信号報知部１２を制御する（ステップＳ６０，Ｓ６１。発光制御部５１の機能）。具体的には、制御部３１は、全ての発光ユニット２１〜２５を白色で点滅させ（ステップＳ６０）、その後に、設定対象の発光ユニットを決定した発光色で所定時間だけ点滅発光させて（ステップＳ６１）、発光色の決定を表示させてもよい。その後、制御部３１は、動作モードを第１設定モードに遷移させ、図８のステップＳ３３からの処理を実行する。
【００９７】
以上のように、この発明によれば、信号表示灯１に備えられた音量調節スイッチ４０を操作することによって、発光ユニット２１〜２５の発光色を指定するための発光色情報を発光色テーブルに登録することができる。その登録された発光色情報に従って、入力制御信号に応じて、複数の発光ユニット２１〜２５の発光状態が制御される。これにより、簡単な作業で発光ユニット２１〜２５の発光色を設定することができ、予め発光色情報を格納したメモリを用意する作業や、コンピュータを信号表示灯１に設定して行う設定作業を要しない。
【００９８】
また、制御部３１は、ブザー３７に駆動電力を供給するためのブザー駆動回路３６と、音量調節スイッチ４０の操作に応答して、ブザー駆動回路３６がブザー３７に供給する駆動電力を可変設定することによりブザー３７の音量を調節する。したがって、ブザー３７の音量調節のための音量調節スイッチ４０を用いて、発光ユニット２１〜２５の発光色を設定でき、音量調節スイッチ４０を多機能スイッチとして用いることができる。したがって、特別なスイッチを設けることなく、簡単な作業で、発光ユニット２１〜２５の発光色を設定できる。
【００９９】
また、この実施形態に係る信号表示灯１は、ブザー駆動回路３６によって駆動されるブザー３７を含み、制御部３１は、入力される制御信号に基づいて、ブザー駆動回路３６を駆動することにより、ブザー３７を鳴動させる。この構成によれば、ブザー３７が備えられているので、通常の使用時において、音量調節スイッチ４０を操作することによって、ブザー３７の音量を調節することができる。
【０１００】
信号表示灯１は、ブザー３７を必ずしも備えている必要はない。その場合でも、信号表示灯１は、ブザー駆動回路３６および音量調節スイッチ４０を備えていることが好ましい。それによって、ブザー付きの仕様およびブザー無しの仕様のいずれにも対応することができる。そして、いずれの仕様においても、音量調節スイッチ４０の操作によって、発光ユニット２１〜２５の発光色を簡単な作業で設定することができる。
【０１０１】
さらに、この実施形態では、報知設定モードの第１設定モードにおいて、音量調節スイッチ４０に対して短押し操作（第１態様の操作）を行うことで、複数の発光ユニット２１〜２５のなかから発光色設定対象の発光ユニットを切り換え、その後、長押し操作（第２態様の操作）を行うことで、発光色設定対象の発光ユニットを決定できる。こうして、複数の発光ユニット２１〜２５のなかから発光色設定対象の発光ユニットを選択して決定でき、発光色設定のための第２設定モードに移行できる。
【０１０２】
そして、第２設定モードにおいて、音量調節スイッチ４０に対して短押し操作（第３態様の操作）を行うことによって、設定対象の発光ユニットの発光色を切り換え、その後、長押し操作（第４態様の操作）を行うことで、発光色を決定できる。こうして、各発光ユニットに対して、複数の発光色のなかから一つの発光色を選択して設定できる。
【０１０３】
また、この実施形態では、発光色設定対象の発光ユニットが選択状態を表す発光状態（たとえば５０％輝度の点滅）に制御される。さらに、発光色の設定時には、選択された発光色で、設定対象の発光ユニットが発光（５０％輝度での点滅）される。この構成により、発光色設定状態の発光ユニットをその発光状態によって認識できる。また、選択されている発光色が、その発光色によって認識できる。すなわち、発光ユニットを視覚的なインタフェースとして利用しながら、音量調節スイッチ４０の操作によって、任意の発光ユニットの発光色を任意の色に設定することができる。
【０１０４】
さらに、この実施形態では、報知設定モードの第１設定モードにおいて、音量調節スイッチ４０の短押し操作（前記第１態様の操作）によって、複数の発光ユニットを発光色設定対象として順次切り換え、さらにいずれの発光ユニットも選択しない非選択状態とすることができる。そして、その非選択状態で、音量調節スイッチ４０に対する長押し操作（第５態様の操作）に応答して、制御部３１は、決定された発光色を表す発光色情報を発光色テーブルに書き込む。これにより、音量調節スイッチ４０の操作によって、発光色情報を発光色テーブル７１に登録できる。
【０１０５】
さらに、この実施形態では、前記非選択状態では、全ての発光ユニットが消灯状態に制御される。それによって、操作者は、非選択状態を確実に認識できるので、発光色情報を発光色テーブル７１に確実に登録できる。
【０１０６】
以上、この発明の一実施形態について説明してきたが、この発明は、さらに他の形態で実施することもできる。たとえば、前述の実施形態では、音量調節スイッチ４０を多機能スイッチとして用いているが、音量調節スイッチ以外のスイッチを多機能スイッチとしてもよい。具体的には、音量調節スイッチに加えて、多機能スイッチを設けてもよい。
【０１０７】
また、前述の実施形態では、個々の発光ユニットが制御部３１による発光制御単位である例を示したが、個々の発光ユニットが発光制御単位である必要はなく、複数の発光ユニットのグループが発光制御単位であってもよい。つまり、１つ以上の発光ユニットで発光制御単位を構成し、その発光制御単位ごとに発光色を設定できるようにしてもよい。この場合には、前述の実施形態において、「発光ユニット」を「発光制御単位」と読み替えればよい。複数の発光制御単位は、同数の発光ユニットを含んでいてもよいし、異なる数の発光ユニットで構成した２つ以上の発光制御単位を含んでいてもよい。
【０１０８】
また、前述の実施形態では、音量調節スイッチ４０の長押し操作と短押し操作とを区別する例を示したが、音量調節スイッチ４０に対する操作は、これらの態様に限られない。たとえば、短押し操作／長押し操作の代わりに、シングルクリック操作／ダブルクリック操作などの他の操作であってもよい。また、音量調節スイッチ４０が音量増大操作と音量低減操作との２つの操作が可能なスイッチであれば、音量増大操作と音量低減操作とを、設定対象または発光色の切り換え操作と、設定対象または発光色の決定操作とにそれぞれ割り当ててもよい。
【０１０９】
その他、特許請求の範囲に記載された事項の範囲で種々の設計変更を施すことが可能である。
【符号の説明】
【０１１０】
１     信号表示灯
２     信号灯制御装置
５     生産装置
６     制御信号線
Ｗ１-Ｗ５ 発光制御信号線
Ｗ６，Ｗ７       ブザー制御信号線
Ｗ８      共通信号線
１１   制御ユニット
１２   信号報知部
２１〜２５    発光ユニット
３１   制御部
３２   外部入出力部
３３   内部入出力部
３４   クロック
３５   メモリ
３６   ブザー駆動回路
３７   ブザー
３８   ディップスイッチ
４０   音量調節スイッチ
５１   発光制御部
５２   ブザー音量調節部
５３   ブザー制御部
５４   発光色情報登録部
５５   設定対象切り換え部
５６   設定対象決定部
５７   発光色切り換え部
５８   発光色決定部
５９   書き込み部
７０   動作テーブル
７１   発光色テーブル
７２   鳴動テーブル
７３   音量データ
【図１】
0005967457.tif 000009
【図２】
0005967457.tif 000010
【図３】
0005967457.tif 000011
【図４】
0005967457.tif 000012
【図５】
0005967457.tif 000013
【図６】
0005967457.tif 000014
【図７】
0005967457.tif 000015
【図８】
0005967457.tif 000016
【図９】
0005967457.tif 000017